(57)【要約】      （修正有）【課題】身体の下腹部を覆って用いられる下着において、その内部空間の換気を効果的に行なって、装着時の快適性を確保する。【解決手段】使用者Ｐの腰回りを囲繞する腰部１ａと、使用者Ｐの臀部から下腹部を覆う基部１ｂと、使用者Ｐの太股周りを覆う裾部１ｃとからなる下着１であって、基部１ｂの、下腹部を覆う部位に幅方向に沿った横スリットＡが形成され、裾部１ｃの側部に、上下方向に沿った縦スリットＢが形成されている。【選択図】図１
0003211365.tif 000002
【実用新案登録請求の範囲】
【請求項１】
トランクス状の下着であって、使用者の腰回りを囲繞する腰部と、使用者の臀部から下腹部を覆う基部と、使用者の太股周りを覆う裾部とからなる下着であって、前記基部の、前記下腹部を覆う部位に幅方向に沿った横スリットが形成され、前記裾部の側部に、上下方向に沿った縦スリットが形成されていることを特徴とする下着。
【請求項２】
前記縦スリットが、前記裾部の下端縁から前記基部にかけて形成されていることを特徴とする請求項１に記載の下着。
【請求項３】
前記縦スリットが、前記裾部の下端縁から離れた位置から上方へ向けて形成されていることを特徴とする請求項１に記載の下着。
【請求項４】
前記縦スリットが、前記太股の周方向に間隔をおいた複数箇所に形成されていることを特徴とする請求項１に記載の下着。
【請求項５】
前記縦スリットが、前記裾部の左右両側に形成されていることを特徴とする請求項１ないし請求項４の何れかに記載の下着。
【考案の詳細な説明】
【技術分野】
【０００１】
本考案は、身体の下腹部や臀部周りを覆って用いられる下着に係わり、特に、トランクス状の下着に関するものである。
【背景技術】
【０００２】
一般に、身体の下腹部や臀部周りを覆って用いられる下着が知られている。
ところで、下着では、装着時の快適性を向上させるために通気性を確保することが望まれている。
【０００３】
このような通気性を確保することが期待できる下着として、たとえば、特許文献１に示される下着が挙げられる。
【０００４】
この下着はトランクス状の下着であって、トランクスの胴回り部の内側に、男性器を包み込むカップ部を縫着したものであり、前記トランクスの裾部に、縦割れスリットが形成され、この縦割れスリットは、例えばホック等の係合手段によって、通常は閉じられた状態にあり、この係合手段を外すことによって開放可能な構成となされている。
【先行技術文献】
【特許文献】
【０００５】
【特許文献１】特開平９−３１７０３号公報
【考案の概要】
【考案が解決しようとする課題】
【０００６】
ところで、前述した従来の下着にあっては、前記スリットによって、太股周りの通気性を確保することはできるものの、下着の前方中央部の空気を積極的に換気することは期待できない。
【０００７】
本考案は、前述した従来の技術において残されている問題点に鑑みてなされたもので、身体の下腹部を覆って用いられる下着において、手の出し入れを容易に行うことが可能として、装着時の開放感を高め、また、その内部空間の換気を効果的に行なって、装着時の快適性を確保することを課題とする。
【課題を解決するための手段】
【０００８】
本考案の下着は、前述した課題を解決するために、トランクス状の下着であって、使用者の腰回りを囲繞する腰部と、使用者の臀部から下腹部を覆う基部と、使用者の太股周りを覆う裾部とからなる下着であって、前記基部の、前記下腹部を覆う部位に幅方向に沿った横スリットが形成され、前記裾部の側部に、上下方向に沿った縦スリットが形成されていることを特徴としている。
【０００９】
このような構成とすることにより、使用者が装着した状態において、前記下着は、その腰部が使用者の腰回りを締め付けるようにして止着され、前記基部が、使用者後方の臀部から前方の下腹部を覆い、さらに、裾部が使用者の両太股を覆う。
【００１０】
そして、たとえば、使用者の歩行等によって、使用者の太股が前記裾部を揺すると、この裾部に形成されている前記縦スリットを介して、前記下着内の空気が外部へ吐き出される。
【００１１】
そして、前記基部に形成されている横スリットにおいては、前記裾部の、前記太股に対する動きに合わせて、前記下着内の空気が外部へ排出され、あるいは、外部の空気が前記下着内に吸い込まれる。
【００１２】
このような前記下着内の空気の流れは、前記横スリットおよび縦スリット毎に独立して行なわれ、あるいは、前記縦スリットから外気が吸い込まれて前記横スリットから外部へ吐き出される流れや、前記横スリットから外気が吸い込まれて前記縦スリットから外部へ吐き出される流れとなる。
【００１３】
このような何れの空気の流れにおいても、前記太股周りのみならず前記下腹部周りの換気を行なう。
【００１４】
したがって、前記下着を装着した状態において、前記下着内部の殆どの領域の換気が行なわれ、この結果、装着時の快適性が向上する。これにより、着用者に開放感を与えることができる。また、夏場等において着用者に清涼感を与えることができ、特に就寝時に快適な着用感を与えることが可能となる。特に夏場等は、室内着（インナー）として使用できる。
【００１５】
前記縦スリットは、前記裾部の下端縁から前記基部にかけ、また、前記裾部の下端縁から離れた位置から上方へ向け、さらに、前記太股の周方向に間隔をおいた複数箇所に形成され、また、前記縦スリットは、前記裾部の左右両側に形成される。
【００１６】
そして、前記スリットにより太股の根元の一部を露出させることによって、着用者の身体的魅力、セクシーさのアピール効果を期待することができる。また、下着内部への手の挿入等が極めて容易に行うことができる。
【考案の効果】
【００１７】
本考案の下着によれば、その中心部の空気を、下着の側部を経て外部へ排出することにより、装着時の下着内部の空気の殆どを換気することができ、これによって、快適性を向上させることができる。
【図面の簡単な説明】
【００１８】
【図１】本考案の第１の実施形態を示すもので、使用状態を示す斜視図である。
【図２】本考案の第１の実施形態を示すもので、使用状態を示す斜視図である。
【図３】本考案の第１の実施形態を示す正面図である。
【図４】本考案の第１の実施形態を示す側面図である。
【図５】本考案の第２の実施形態を示す側面図である。
【図６】本考案の第３の実施形態を示す側面図である。
【考案を実施するための形態】
【００１９】
以下、本考案の一実施形態を図１ないし図４を参照して説明する。
これらの図において、符号１は本実施形態の下着を示す。
【００２０】
この下着１は、トランクス状の下着１であって、使用者Ｐの腰回りを囲繞する腰部１ａと、使用者Ｐの臀部から下腹部を覆う基部１ｂと、使用者Ｐの太股周りを覆う裾部１ｃとからなり、前記基部１ｂの、前記下腹部を覆う部位に幅方向に沿った横スリットＡが形成され、前記裾部１ｃの側部に、上下方向に沿った縦スリットＢが形成されている。
【００２１】
前記腰部１ａは、伸縮可能な材料によって帯状に形成されており、その弾性によって、使用者の腰回りを締め付けることにより、前記下着１のずれを防止するようになっている。
【００２２】
前記基部１ｂは、使用者の後方の臀部から前方の下腹部を取り囲むようになされており、この基部１ｂの、使用者Ｐの前方の下腹部に対峙させられる位置（男性用の下着にあっては、男性器に対峙させられる位置）に前記横スリットＡが形成されている。
【００２３】
前記裾部１ｃは、筒状に形成されて、前記基部１ｂの下方に連続し、かつ、左右方向に独立して一対設けられている。
【００２４】
前記縦スリットＢは、前記各裾部１ｃ外側の側部に、その下端縁から前記基部１ｂにかけて形成されている。
【００２５】
このように構成された本実施形態の下着１は、使用者Ｐが装着した状態において、前記横スリットＡが、使用者の前方の下腹部に対峙され、かつ、前記縦スリットＢが、前記使用者Ｐの両太股の外側に対峙される。
【００２６】
そして、前記下着１の内部は、前記横スリットＡと前記縦スリットＢを介して外部へ連通させられており、これらの横スリットＡおよび縦スリットＢにより、前記下着１の内部の換気が行なわれる。
【００２７】
したがって、前記下着１の前部および両側部からの換気が行なわれることとなり、前記下着１の内部空間のほぼ全ての領域における換気が行なわれる。
この結果、前記下着１内のむれが防止されて快適な装着感を得ることができる。
【００２８】
また、使用者Ｐが歩行等の動きを行なうと、この使用者Ｐと前記下着１との隙間が増減し、これによって、前記横スリットＡや前記縦スリットＢにおいて空気の吸い込みや吐き出しが行なわれ、前述した換気が促進される。
【００２９】
前記下着１内の換気は、前述したように前記横スリットＡおよび前記縦スリットＢ単独の換気ばかりでなく、前記横スリットＡから前記縦スリットＢへ向かう流れ、あるいは、その逆方向の流れも期待でき、これらの組み合わせによって、換気作用をさらに高めることができる。
【００３０】
一方、前記横スリットＡは、前記下着１の横方向に沿って形成されていることにより、前記使用者Ｐが装着した際に、前記基部１ｂが主に横方向に引かれることから、前記横スリットＡが開いてしまうことがなく、一定した装着感が得られる。
【００３１】
本実施形態の前記下着１は、前述したように快適性を確保できるばかりでなく、前記縦スリットＢから、太股の基部近くが露出することにより身体的魅力のアピール効果を期待することができる。
【００３２】
そして、本実施形態の前記下着１は、男性用と女性用の何れでも使用可能である。例えば、夫婦、恋人間では、共通下着として使用を行うことも可能である。下着１を色違いや柄違いのセットとして、ペアー使用可能に構成してもよい。
【００３３】
なお、前記実施形態において示した各構成部材の諸形状や寸法等は一例であって、デザインの変更や設計要求等に基づき種々変更可能である。
【００３４】
たとえば、図５に示すように、前記縦スリットＢを、前記太股の周方向に間隔をおいた複数箇所に形成するようにしてもよく、また、図６に示すように、前記縦スリットを前記裾部１ｃの下端縁から離れた位置から上方へ向けて形成して、閉じられた縦スリットＢとすることもできる。
【００３５】
さらに、前記縦スリットＢは、前記裾部１ｃの左右の何れか一方のみに形成しておくこともできる。
【符号の説明】
【００３６】
１  下着
１ａ  腰部
１ｂ  基部
１ｃ  裾部
Ａ  横スリット
Ｂ  縦スリット
Ｐ  使用者
【図１】
0003211365.tif 000003
【図２】
0003211365.tif 000004
【図３】
0003211365.tif 000005
【図４】
0003211365.tif 000006
【図５】
0003211365.tif 000007
【図６】
0003211365.tif 000008